【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
通信装置であって、
所定の周期で繰り返し開始される期間であって、前記通信装置を含む複数の装置でビーコンを送信または受信する所定の期間において、サービス情報を他の通信装置と通信する第１の通信手段と、
前記サービス情報が示すサービスを実行するための第１の通信層における通信によって、前記第１の通信層より上位の第２の通信層における通信に用いるアドレス情報を、前記所定の期間において前記他の通信装置と通信する第２の通信手段と、
前記アドレス情報を用いて、前記所定の周期に基づくタイミングで前記サービス情報が示すサービスを実行するための前記第２の通信層における通信を前記他の通信装置と行う第３の通信手段と、
を有することを特徴とする通信装置。
【請求項２】
前記所定の期間は、Neighbor Awareness Networking(NAN)のDiscoveryWindow(DW)であることを特徴とする請求項１に記載の通信装置。
【請求項３】
前記第１の通信手段による通信を介して、前記通信装置が要求するサービスが前記他の通信装置が提供可能なサービスに含まれることを確認できた場合、前記第３の通信手段は、前記サービス情報が示すサービスを実行するための通信を前記他の通信装置と行うことを特徴とする請求項１または２に記載の通信装置。
【請求項４】
前記第１の通信手段が、所定のサービスを識別する情報を含むSubscribeメッセージを送信し、該送信した信号に応答して、前記他の通信装置から該所定のサービスを識別する情報とデータリンクでの通信が可能であることを示す情報を含むPublishメッセージを受信した場合、前記第３の通信手段は、前記サービス情報が示すサービスを実行するための通信を前記他の通信装置と行うことを特徴とする請求項１から３のいずれか１項に記載の通信装置。
【請求項５】
前記アドレス情報は、前記通信装置のIP（Internet Protocol）アドレスであることを特徴とする請求項１から４のいずれか１項に記載の通信装置。
【請求項６】
前記アドレス情報は、前記他の通信装置のIP（Internet Protocol）アドレスであることを特徴とする請求項１から４のいずれか1項に記載の通信装置。
【請求項７】
前記サービス情報が示すサービスを実行するための通信を行う期間を設定する設定手段を更に有し、
前記第３の通信手段は、前記設定手段により設定された期間において前記他の通信装置と通信を行うことを特徴とする請求項１から６のいずれか１項に記載の通信装置。
【請求項８】
前記設定手段は、前記所定の期間と同じ時間幅の単位で前記サービス情報が示すサービスを実行するための通信を行う期間を設定することを特徴とする請求項７に記載の通信装置。
【請求項９】
前記設定手段は、前記サービス情報が示すサービスを実行するための通信を行うための無線チャネルを更に設定し、
前記第３の通信手段は、前記設定手段により設定された無線チャネルを用いて前記他の通信装置と通信を行うことを特徴とする請求項７または８に記載の通信装置。
【請求項１０】
前記第１の通信手段による通信を介して、前記他の通信装置が要求するサービスを提供可能であることを確認できた場合、前記第３の通信手段は、前記サービス情報が示すサービスを実行するための通信を前記他の通信装置と行うことを特徴とする請求項１または２に記載の通信装置。
【請求項１１】
前記第１の通信手段により受信されたSubscribeメッセージに、前記通信装置が提供可能なサービスを識別する情報が含まれていた場合、前記他の通信装置にPublishメッセージを送信する送信手段を更に有することを特徴とする請求項１０に記載の通信装置。
【請求項１２】
前記第１の通信層は、データリンク層であることを特徴とする請求項１から１１のいずれか1項に記載の通信装置。
【請求項１３】
前記第２の通信層は、IP（InternetProtocol）層であることを特徴とする請求項１から１２のいずれか1項に記載の通信装置。
【請求項１４】
通信装置であって、
Neighbor Awareness Networking(NAN)のDiscoveryWindowにおいてサービス情報を、前記通信装置が属するNANクラスタに属する他の通信装置と通信する第１の通信手段と、
Discovery Windowにおいて前記他の通信装置とIP（Internet Protocol）アドレスを通信する第２の通信手段と、
前記IP（Internet Protocol）アドレスを用いて、前記NANクラスタで同期されている通信タイミングで前記サービス情報が示すサービスを実行するための通信を前記他の通信装置と行う第３の通信手段と、
を有することを特徴とする通信装置。
【請求項１５】
通信装置の通信方法であって、
所定の周期で繰り返し開始される期間であって、前記通信装置を含む複数の装置でビーコンを送信または受信する所定の期間において、サービス情報を他の通信装置と通信する第１の通信工程と、
前記サービス情報が示すサービスを実行するための第１の通信層における通信によって、前記第１の通信層より上位の通信層における通信に用いるアドレス情報を、前記所定の期間において前記他の通信装置と通信する第２の通信工程と、
前記アドレス情報を用いて、前記所定の周期に基づくタイミングで前記サービス情報が示すサービスを実行するための通信を前記他の通信装置と行う第３の通信工程と、
を有することを特徴とする通信方法。
【請求項１６】
通信装置の通信方法であって、
Neighbor Awareness Networking(NAN)のDiscoveryWindowにおいてサービス情報を、前記通信装置が属するNANクラスタに属する他の通信装置と通信する第１の通信工程と、
Discovery Windowにおいて前記他の通信装置とIP（Internet Protocol）アドレスを通信する第２の通信工程と、
前記IP（Internet Protocol）アドレスを用いて、前記NANクラスタで同期されている通信タイミングで前記サービス情報が示すサービスを実行するための通信を前記他の通信装置と行う第３の通信工程と、
を有することを特徴とする通信方法。
【請求項１７】
コンピュータを、請求項１から１４のいずれか１項に記載の通信装置として機能させるためのプログラム。
【手続補正２】
【補正対象書類名】明細書
【補正対象項目名】０００８
【補正方法】変更
【補正の内容】
【０００８】
上記目的を達成するための一手段として、本発明の通信装置は以下の構成を有する。すなわち、通信装置であって、所定の周期で繰り返し開始される期間であって、前記通信装置を含む複数の装置でビーコンを送信または受信する所定の期間において、サービス情報を他の通信装置と通信する第１の通信手段と、前記サービス情報が示すサービスを実行するための第１の通信層における通信によって、前記第１の通信層より上位の第２の通信層における通信に用いるアドレス情報を、前記所定の期間において前記他の通信装置と通信する第２の通信手段と、前記アドレス情報を用いて、前記所定の周期に基づくタイミングで前記サービス情報が示すサービスを実行するための前記第２の通信層における通信を前記他の通信装置と行う第３の通信手段と、を有することを特徴とする。
【手続補正３】
【補正対象書類名】明細書
【補正対象項目名】００１７
【補正方法】変更
【補正の内容】
【００１７】
また、同一のNANクラスタに参加している。NANクラスタに参加している各端末は、2.4GHzの周波数帯域の6ch(2.437GHz)で通信する。NANクラスタにおいて、512TU(Time Unit、1TUは1024μ秒)毎に16TUのDWが設けられる。即ち、NANクラスタにおいて、512TUごとに繰り返し、16TUのDWが設けられる。NANクラスタに参加する各端末は、DWにおいて送受信されるSync Beaconにより、DWのスケジュールを同期する。各DW期間にNANクラスタに属する各端末は、SDFにより、サービス情報を通信する。
【手続補正４】
【補正対象書類名】明細書
【補正対象項目名】００１９
【補正方法】変更
【補正の内容】
【００１９】
NANデバイス101、102、103は、NAN規格に則った無線通信を行う無線通信装置である。なお、NANデバイス101、102、103は、NANに参加可能で、アプリケーションによる通信を行うことが可能であれば、どのような装置であってもよい。NANデバイス101、102、103は、NAN規格に基づいて、周囲の通信装置およびそれらが提供するサービスを発見、提供することができる。図1において、NANデバイス101、102、103は、NANクラスタ104に参加している。NANデバイス101、103はNon-Master SyncとしてNANクラスタ104に参加しており、NANデバイス102はMaster、AnchorMasterとしてNANクラスタ104に参加している。本実施形態では、NANデバイス101は、所定のサービスを探しているSubscriberである。また、NANデバイス103は、NANデバイス101が探している所定のサービスを提供可能なPublisherである。